(57)【特許請求の範囲】
【請求項１】
透明球面上に世界陸地図を表示して成る外側球体と、この外側球体の内側に当該外側球体と同心状に配した内側球体との間に球殻状に密閉された空間部を備え、該空間部内に青く着色した液体を封入すると共に、世界陸地図以外の海洋に相当する外側球体内周面には、凹状もしくは突状の液流抵抗部を付設して成ることを特徴とする地球儀。
【請求項２】
外側球体の南北両極地に相当する部分には、空間部内に液体を注入可能とした円形状の開口部を有し、当該両開口部に嵌着されることで開口部を封止すると共に、外側球体内の中心位置に内側球体を挟持固定させ、且つ子午線アームの両極端に設けられている軸体を回転可能に支承可能にした弾性キャップ体を備えた請求項１記載の地球儀。
【発明の詳細な説明】
【技術分野】
【０００１】
本発明は、世界地図の陸地以外の海洋部分を強調可能にし、地球面の多くが水があることが一層理解できるようにした地球儀に関するものである。
【背景技術】
【０００２】
従来から、この種の地球儀としては、例えば特許文献１に開示されているように、少量の水を入れた透明地球儀の内側に地球儀よりも少し径の小さい球を入れ、水の浮力によって球を浮かせたものがある。
【０００３】
また、特許文献２に開示されているように、同心配置した複数の球体を備え、最内部の球体以外は透明部材で構成し、各球体間に地球内部構造に対応した立体表示材を装着したものがある。
【特許文献１】特開２０００−１３２０９２号公報
【特許文献２】特開２００１−３２４９２３号公報
【発明の開示】
【発明が解決しようとする課題】
【０００４】
しかしながら、こうした従来における地球儀では、特許文献１，２のいずれの場合においても、世界地図の陸地以外の海の部分の透明地球儀全域には水が存在しないため、実際に波打つような海が存在しているかの如き外観を呈することができず、海であることの存在感を十分に強調させることができないものであった。
【０００５】
そこで本発明は叙上のような従来存した諸事情に鑑み創出されたもので、世界地図の陸地以外の海の部分全域に、実際に波打つような海が存在しているかの如き外観を呈することができ、海であることの存在感を十分に強調させることができる地球儀を提供することを目的とする。
【課題を解決するための手段】
【０００６】
上述した課題を解決するため、本発明にあっては、透明球面上に世界陸地図を表示して成る外側球体２と、この外側球体２の内側に当該外側球体２と同心状に配した内側球体３との間に球殻状に密閉された空間部Ｓを備え、該空間部Ｓ内に青く着色した液体Ｐを封入して成ることで、地球儀１を構成したものである。
さらには、透明球面上に不透明な世界陸地図を表示して成る外側球体２の内側に、当該外側球体２よりも小さな内側球体３を備え、外側球体２と内側球体３との間の密閉された空間部Ｓ内に注入された青く着色した液体Ｐにより、内側球体３を外側球体２内で同心状に浮遊させて成るものである。
また、世界陸地図以外の海洋に相当する外側球体２内周面、必要があれば内側球体３外周面には、凹状または突状の液流抵抗部１０を付設して成るものとできる。
さらにまた、外側球体２の南北両極地に相当する部分には、空間部Ｓ内に液体Ｐを注入可能とした円形状の開口部４を有し、当該両開口部４に嵌着されることで開口部４を封止すると共に、外側球体２内の中心位置に内側球体３を挟持固定させ、且つ子午線アームの両極端に設けられている軸体９を回転可能に支承可能にした弾性キャップ体５を備えたものとできる。
【０００７】
以上のように構成された本発明に係る地球儀１にあって、外側球体２と内側球体３との間の空間部Ｓ内に封入させた青く着色した液体Ｐは、世界地図の陸地以外の海の部分全域に、実際に海が存在しているかの如き外観を現出させる。
また、外側球体２と内側球体３との間の密閉された空間部Ｓ内に注入された青く着色した液体Ｐは、当該液体Ｐによる浮力と液圧、表面張力と関係によって内側球体３を外側球体２内で同心状に浮遊させ、外側球体２と内側球体３との間に、現実の海となるべき球殻状に密閉された液槽領域を形成させる。
外側球体２内周面の凹状もしくは突状の液流抵抗部１０は、外側球体２を強制回転させた場合における液体Ｐの粘性による遅延的流速に対する抵抗となって液体Ｐ流速に乱流を発生させ、実際に海流が生じる如き外観を現出させる。
外側球体２の南北両極地に相当する開口部４に嵌着された弾性キャップ体５は、空間部Ｓ内に注入した液体Ｐの開口部４からの漏洩を防止させると共に、外側球体２内の中心位置に内側球体３を挟持固定させる。また弾性キャップ体５は、子午線アームの両極端に設けられている軸体９に対する回転摩擦による摩耗を防止させ、しかも回転時における球体全体の振動に対する緩衝機能を付与させる。
【発明の効果】
【０００８】
本発明によれば、世界地図の陸地以外の海の部分全域に、実際に波打つような海が存在しているかの如き外観を呈することができ、海であることの存在感を十分に強調させることができる。
【０００９】
すなわちこれは本発明が、透明球面上に世界陸地図を表示して成る外側球体２と、この外側球体２の内側に当該外側球体２と同心状に配した内側球体３との間に球殻状に密閉された空間部Ｓを備え、該空間部Ｓ内に青く着色した液体Ｐを封入して成るからであり、これにより、世界地図の陸地以外の海の部分全域に、実際に海が存在しているかの如き外観を容易に現出させることができる。
【００１０】
さらには、透明球面上に不透明な世界陸地図を表示して成る外側球体２の内側に、当該外側球体２よりも小さな内側球体３を備え、外側球体２と内側球体３との間の密閉された空間部Ｓ内に注入された青く着色した液体Ｐにより、内側球体３を外側球体２内で同心状に浮遊させて成るので、外側球体２と内側球体３との間に、現実の海となるべき球殻状に密閉された液槽領域を容易に形成させることができる。
【００１１】
また、世界陸地図以外の海に相当する外側球体２内周面には、凹状もしくは突起状の液流抵抗部１０を付設して成るので、外側球体２を強制回転させた場合における液体Ｐの粘性による遅延的流速に対して、当該溝、突起状の液流抵抗部１０が抵抗となり、液体Ｐ流速に乱流を発生させるものとなり、これによって実際に海流が生じる如き外観を現出させることがでる。しかも液体Ｐ内に少量の空気を含ませることによって、液流抵抗部１０部分で気泡を生じさせることができ、実際に海が波立つかの如き外観を容易に現出させることができる。
【００１２】
また、外側球体２の南北両極地に相当する部分には、空間部Ｓ内に液体Ｐを注入可能とした円形状の開口部４を有し、当該両開口部４に嵌着されることで開口部４を封止すると共に、外側球体２内の中心位置に内側球体３を挟持固定させ、且つ子午線アームの両極端に設けられている軸体９を回転可能に支承可能にした弾性キャップ体５を備えたので、空間部Ｓ内に注入した液体Ｐの開口部４からの漏洩を弾性キャップ体５によって未然に防止することができると同時に、外側球体２内の中心位置に内側球体３を挟持固定させておくことで、現実の海となるべき球殻状に密閉された空間部Ｓを容易に形成させることができる。また、弾性キャップ体５により、子午線アームの両極端に設けられている軸体９に対する回転摩擦による摩耗を防止させることができ、しかも回転時に発生する球体全体の振動に対する緩衝機能としても十分に発揮することができる。
【００１３】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１４】
以下図面を参照して本発明を実施するための最良の一形態を説明すると、図において示される符号１は、世界地図の陸地以外の海洋を強調可能にした地球儀１であり、この地球儀１は、図１、図２に示すように、透明球面上に例えば不透明にした世界陸地図を表示して成る外側球体２と、この外側球体２の内側に当該外側球体２と同心状に配した内側球体３とから成るものである。そして、両球体２，３の間に形成された球殻状に密閉された空間部Ｓ内に、青く着色した液体Ｐとして、例えば青く着色した水、青く着色した粘性のある油、あるいは青い微小粉粒を混入させた比重の大きな微小粉粒懸濁液等を封入してある。尚、この液体Ｐの種類は、本発明を何等限定するものではないことは勿論である。
【００１５】
また、世界陸地図は、従来同様に大陸、島その他の陸地を表示するもので、例えばその陸地表示シールの貼付・布置、描画、印刷その他の従来からの公知の手法によって外側球体２の内・外側面のいずれかに表示形成されるようになっており、通常は不透明のものとされる。
【００１６】
外側球体２は、予め縦方向例えば子午線方向に沿って切断することで２つの半球に分割形成される一方、内側球体３の方は内部が空洞となった通常は単一の球体として形成されており、両者共に透明なガラス材、または透明なアクリル等の合成樹脂材等によって形成されている。これら両球体２，３の組み立てに際し、外側球体２の半球それぞれによって内側球体３を封じ込むようにしてから、両半球の切断部分同士を例えば接着剤等によって合致固定させるものとしてある。
【００１７】
尚、内側球体３の空洞内中心には、例えばリモコンによって点滅可能な電源内蔵型の発光源を設置しておいても良い。この場合、内側球体３内部の発光源からの光が透明な内部球体、海部分に相当する透明な外側球体２それぞれを透過することで、海を表現させる液体Ｐの青色が、地球儀１の外周囲から散乱光となって一層綺麗に、また幻想的雰囲気となるように見ることができるものとなる。
【００１８】
また、図３に示すように、外側球体２の南北両極地に相当する部分には、空間部Ｓ内に液体Ｐを注入可能とした円形状の開口部４を形成し、当該開口部４に例えばカップ状のラバー等による弾性キャップ体５を嵌着して封止させるものとしてある。この弾性キャップ体５は、内側球体３が外側球体２と同心状に配されて内側球体３の外周面に球殻状に密閉された空間部Ｓが確実に形成されるよう、外側球体２内の中心位置に内側球体３を挟持固定させることができる程度の、すなわち内側球体３に対し南北両極地側の２点で圧着されて内側球体３自体を確実に保持できる程度の十分な長さに設定されている。
【００１９】
そして、弾性キャップ体５のカップ内に有底筒状の軸受６を嵌着し、スタンド台７から立設され且つ仰角方向に２３．５度傾斜させて成る子午線アーム８の両極端に設けられている軸体９を軸受６の筒内で支承し、外側球体２、内側球体３等が自由に回転可能とされるようにしてある。
【００２０】
また、外側球体２の世界陸地図における陸地が表示されている以外の海洋に相当する内周面の複数箇所には、溝の如き凹条もしくは突起・突条の如き突状の液流抵抗部１０を付設してあり、これによって外側球体２を強制回転させた場合における液体Ｐの粘性による遅延的流速に対する抵抗となって液体Ｐ流速に乱流を発生させるものとしてある。尚、この液流抵抗部１０の箇所で小さな気泡を多数生じさせることができるように、この液体Ｐに少量の空気を含ませておいても良い。また、この液流抵抗部１０は外側球体２の内周面に限らず、内側球体３の外周面に付設することもでき、その付設形態は任意に選定可能である。
【００２１】
次に、本発明に係る構成における組立手順と使用時の動作について図３に基づき説明すれば、先ず外側球体２の分割された半球それぞれによって内側球体３を封じ込むようにしてから、両半球の切断部分同士を例えば接着剤等によって合致固定する。そして、南北両極地の一方の開口部４を弾性キャップ体５で嵌着封止しておき、他方の開口部４から、青く着色した液体Ｐを注入した後、この開口部４を弾性キャップ体５で嵌着封止する。このとき、これら両弾性キャップ体５によって外側球体２内の中心に位置付けされた状態で内側球体３が挟持固定され、内側球体３外周面の空間部Ｓには、液体Ｐによって満たされた均一厚味の球殻状の液層が形成されるものとなる。
【００２２】
次いで、弾性キャップ体５のカップ内に有底筒状の軸受６を嵌着した後、スタンド台７から立設され且つ仰角方向に２３．５度で傾斜させて成る子午線アーム８の両極端に設けられている軸体９を軸受６に回転可能に支承させれば良い。
【００２３】
こうして、外側球体２と内側球体３との間の空間部Ｓ内に封入させた青く着色した液体Ｐにより、世界地図の陸地以外の海の部分全域に、実際に海が存在しているかの如き外観が現出されるのである。また、外側球体２を強制回転させた場合には、外側球体２内周面の凹条もしくは突状の液流抵抗部１０が、液体Ｐの抵抗となって液体Ｐ流速に乱流を発生させ、実際に海流が生じる如き外観が現出されるのである。このとき、液体Ｐ内に含ませた少量の空気によって、液体Ｐの流れに対する抵抗となる液流抵抗部１０の箇所で小さな気泡を生じ、実際に海が波立つかの如き外観を容易に現出されるのである。
【００２４】
また、本発明を実施するための最良の他の形態として、透明球面上に世界陸地図を表示して成る外側球体２の内側に、当該外側球体２よりも小さな内側球体３を備え、外側球体２と内側球体３との間の密閉された空間部Ｓ内に注入された青く着色した液体Ｐによる浮力、液圧、表面張力、内側球体３の重量それぞれのバランス関係によって内側球体３を外側球体２内で同心状に浮遊させるように形成しても良い。
【００２５】
すなわち、内側球体３の重量とバランスがとれる程度に、比重の大きな液体Ｐを選定し、上記した弾性キャップ体５の長さを短くして、内側球体３に接触しないようにすれば容易に達成される。こうすることで、外側球体２と内側球体３との間に、現実の海となるべき球殻状に密閉された液槽領域が形成されるのである。
【図面の簡単な説明】
【００２６】
【図１】本発明を実施するための最良の形態における地球儀の側面図である。
【図２】同じく地球儀の断面図である。
【図３】同じく地球儀の分解斜視図である。
【符号の説明】
【００２７】
Ｐ…液体                                Ｓ…空間部
１…地球儀                              ２…外側球体
３…内側球体                            ４…開口部
５…弾性キャップ体                      ６…軸受
７…スタンド台                          ８…子午線アーム
９…軸体                                １０…液流抵抗部
【図１】
0003707692.tif 000002
【図２】
0003707692.tif 000003
【図３】
0003707692.tif 000004